(57)【要約】  【課題】マスカラ等の化粧料を睫毛に塗布するにあたって、適量を均一塗布し且つ睫毛同士がくっつかないよう分散させることができ、そして、繊維入りマスカラの場合には、繊維の付着方向を揃えることができ、ムラ付防止の可能な化粧料塗布具を提供せんとするものである。  【解決手段】本発明の化粧料塗布具は、円柱状のロッドの先端上部を平坦に切削して平面部を形成し、この平面部に、断面形状がＶ字状の溝を並列に多数形成した鋸歯状の塗布部と、前記ロッドの先端下部に該ロッドの長手方向に沿って直列に且つ塗布方向にほぼ３列に配設された複数の先鋭形状に形成されたブリッスルからなるブラシ部とを設けて構成され、該ロッドは、繊維入りの睫毛用化粧料を収容した容器の開口部に開閉自在に装着されるキャップに連結され、該キャップを把手として使用し得るように構成される。  【選択図】図１
2006095091.tif 000002
【特許請求の範囲】
【請求項１】
ブリッスルを長手方向に沿って直列に配設してなるブラシ部を有することを特徴とする化粧用ブラシ。
【請求項２】
ブリッスルが、該ブリッスルを配設して保持する担持体の配設面に対して垂直に配設されることを特徴とする請求項１記載の化粧用ブラシ。
【請求項３】
ブラシ部が、塗布方向に所定の長さを有し、化粧料中の繊維を塗布方向に整列させて保持可能な溝を、一定のピッチで並列に多数有してなる塗布部を設けた基材の背面に配設されていることを特徴とする請求項１又は２記載の化粧用ブラシ。
【請求項４】
ブラシ部を構成するブリッスルのうち少なくとも１本が、少なくとも１カ所以上において線径の異なる部分を有することを特徴とする請求項１乃至３のいずれかに記載の化粧用ブラシ。
【請求項５】
ブラシ部をなすブリッスルのうち少なくとも１本が、その付け根から先端に向かって連続的に断面積が小さくなるテーパーを有することを特徴とする請求項１乃至４のいずれかに記載の化粧用ブラシ。
【請求項６】
ブラシ部をなすブリッスルのうち少なくとも１本が、その付け根から先端に向かって不連続的に断面積が小さくなるテーパーを有することを特徴とする請求項１乃至４のいずれかに記載の化粧用ブラシ。
【請求項７】
ブラシ部を構成するブリッスルのうち少なくとも１本が、テーパーを有して先鋭に形成されたものであることを特徴とする請求項１乃至６のいずれかに記載の化粧用ブラシ。
【請求項８】
ブラシ部を構成する各ブリッスルが、テーパーを有して先鋭に形成されたものであることを特徴とする請求項１乃至７のいずれかに記載の化粧用ブラシ。
【請求項９】
ブリッスルの付け根部分の線径が、０．０１ｍｍ〜０．２０ｍｍであることを特徴とする請求項１乃至８のいずれかに記載の化粧用ブラシ。
【請求項１０】
ブリッスルの全長が、０．１ｍｍ〜１０ｍｍであることを特徴とする請求項１乃至９のいずれかに記載の化粧用ブラシ。
【請求項１１】
長手方向におけるブリッスルの配設ピッチが、０．１ｍｍ〜２ｍｍであることを特徴とする請求項１乃至１０のいずれかに記載の化粧用ブラシ。
【請求項１２】
ブリッスルの配列数を２列以上とする場合において、ブリッスルの各列間の配設ピッチを０．１ｍｍ〜２ｍｍとすることを特徴とする請求項１乃至１１のいずれかに記載の化粧用ブラシ。
【請求項１３】
ブリッスルで構成されるブラシ部の配列を、担持体の周囲に間隔をおいて複数列設けたことを特徴とする請求項１乃至１２のいずれかに記載の化粧用ブラシ。
【発明の詳細な説明】
【技術分野】
【０００１】
本発明は、化粧用ブラシ、特にマスカラ等の化粧料の塗布の前後において、睫毛等の毛を捌いて毛を整列させ、綺麗に見せるようにするため化粧用ブラシに関する。
【背景技術】
【０００２】
マスカラを睫毛に塗布するために使用される塗布具として現在一般的なものに、特許文献１のような円柱の先端に螺旋溝を切った螺旋状の塗布具、特許文献２〜４のようなタワシ状の塗布具、そして特許文献５〜７のような櫛状の塗布具が知られている。
【０００３】
また、軸体の外周面に螺旋状にブラシ毛を植設して構成されたタワシ状の塗布具が知られている。この中でも特にブラシによるコーミング効果を改善する目的で、特許文献８のように、軸体に植設されたブラシ毛が、固定端側から自由端の先端に向かって先細りに形成されたものがある。
【０００４】
最近では、睫毛のボリューム感アップや長さを出すために繊維を入れたマスカラが登場しているが、上記のような形状の塗布具ではいずれも、睫毛に対して繊維を塗布し難く、上手く塗布できないといった難点がある。特に、マスカラ塗布後、マスカラにより複数の睫毛が互いにくっついてしまい睫毛が一本毎に捌けない欠点があった。
【０００５】
特許文献９は、適量の繊維と化粧料を睫毛に付着させ得るようにしたものであるが、塗布方向に２列に植設されたブラシ毛の第１列目と第２列目とがそれぞれ、長手方向前方向きと後方向きの互い違いの向きに植設されているため、睫毛同士の根本の間隙にブラシ毛の先端を通し入れることができず、睫毛の捌き、いわゆるコーミングに不適である。繊維入り睫毛用化粧料を塗布して美麗な仕上がりを得るには、繊維の付着方向が不均一となることやダマになることなどの不具合を解消し、付着させた繊維をより睫毛の生立方向に揃え、且つ自然な見栄えとなるように睫毛を一本毎に捌くことが要求されるが、これには睫毛の根本から先端にかけてのコーミングが不可欠であるのに対して先の構造ではそれが上手くできないという問題がある。
【０００６】
【特許文献１】特公昭５４−４１９４２号公報
【特許文献２】特開平９−２３８７４０号公報
【特許文献３】特表２００３−５１５４１０号公報
【特許文献４】特表２００３−５２１９８２号公報
【特許文献５】特開２００１−１４５５１５号公報
【特許文献６】特開２００１−２３１６２７号公報
【特許文献７】特開２００３−２５９９１４号公報
【特許文献８】特開２００４−４９９０６号公報
【特許文献９】特開２００２−１２５７５３号公報
【発明の開示】
【発明が解決しようとする課題】
【０００７】
本発明は、以上のような従来技術に鑑みてなされたものであり、マスカラ等の化粧料を塗布するにあたって、特にマスカラを塗布した後の睫毛同士がくっつかないよう分散させることができ、そして、繊維入りマスカラの場合には、繊維の付着方向を揃えることができ、ムラ付防止の可能な化粧用ブラシを提供せんとするものである。
【課題を解決するための手段】
【０００８】
上記課題を解決するために本発明の化粧用ブラシは、ブリッスルを担持体に対して垂直に、そして長手方向に沿って直列に配設してなるブラシ部を有することを特徴とする。
【０００９】
さらに、塗布部として、塗布方向に所定の長さを有し、化粧料中の繊維を塗布方向に整列させて保持可能な溝を、一定のピッチで並列に多数有してなる塗布部を採用することを特徴とし、これらのブラシ部と塗布部とを併設して塗布具を構成することで、特にマスカラ塗布後の睫毛を捌いて睫毛を一本毎に瀬入れるさせることが出来、又繊維入りの化粧料を塗布する際には、該塗布部によって睫毛に均一に化粧料と繊維を塗布でき、ブラシ部によって塗布ムラを解消しつつ、繊維の付着方向をより優美に揃えることができる。
【００１０】
ブリッスルは、従来公知の合成樹脂やあるいはそれを用いた複合材料等で構成することができるが、特にはポリブチレンテレフタレート又はポリアミドのいずれかを用い、好ましくは線径を０．０１ｍｍ〜０．２０ｍｍ、長さを０．１ｍｍ〜１０ｍｍとしたことを特徴とする。
【００１１】
また、上記ブラシ部は、複数のブリッスルから構成され、特に、先鋭形状に形成された所謂テーパードブリッスルを採用することで、塗布時の睫毛の捌き易さや梳き易さ、あるいは梳かし易さを向上させることができる。更に詳細には、ブラシ部をなすブリッスルの一部又は全部が、ブリッスル先端から１．０ｍｍ、２．０ｍｍ、３．０ｍｍの各部位における該ブリッスルの線径が、最大線径部の線径に対してそれぞれ２０〜３０％、３０〜５０％、５０〜８０％の比率からなるテーパー形状を有することを特徴とする。
【００１２】
また、ブラシ部をなすブリッスルの一部又は全部が、先端に向かって細くなるテーパーを有することを特徴とする。ここで、テーパーとは、ブリッスルの先端まで細くして先鋭にしたもの若しくは先端に向かって細くするが先鋭としないもの、又は先端に向かってクサビ状に形成したものを含む。このほか、先端と付け根を共に細くした形状であっても良い。又、ブリッスルの断面が少なくとも２つ以上の層からなる多層構造、或いは少なくともブリッスルの一部の外周に捻りが形成された螺旋状の溝を有す構造、更には少なくともブリッスルの一部がクリンプ状になっていても良い。また、複数のブリッスルからなるブラシ部が、少なくとも２つ以上の毛丈の異なるブリッスルから構成されることを特徴とするものであっても良い。
【００１３】
更に、本発明の特徴の一つとして、ブリッスルの配設方法が挙げられる。ブリッスルの配設方法としては、所定間隔またはランダムの何れでもよいが、睫毛の生立ピッチに対応させることが好ましく、特に、長手方向におけるブリッスルの配設ピッチを０．１ｍｍ〜２．０ｍｍとすると、睫毛の生立ピッチに対応したものとなって、睫毛同士の間に１本乃至数本のブリッスルを入れることができるようになり、また塗布方向におけるブリッスルの配列数を２列以上とする場合には、ブリッスルの塗布方向の配設ピッチを０．１ｍｍ〜２．０ｍｍとすると、睫毛を捌くのに最適である。加工前のブリッスルは、例えば０．５〜４０mmの長さを有し、根元部をまとめて加熱、溶融する裏焼きにより、長さが整えられると共に一列に容易に結合することが出来る。
【００１４】
ブリッスルの配列数は、１〜３列が好ましい。該配列数が多過ぎると、各ブリッスルが睫毛同士の間に上手く入らず、ブラシ部によって睫毛を梳かすことができなくなる。仮に睫毛同士の間にブリッスルを入れられたとしても梳かすときに睫毛に付着させた繊維を取っ払ってしまうといった問題が生じる。睫毛は、通常０．１ｍｍ程度の径を有し、０．４ｍｍ程度のピッチで存在している。又、睫毛は、３段に存在しており、０．４ｍｍの間隔中に３本の睫毛が存在することになる。従って、ブリッスルの配設ピッチが０．１ｍｍより小さいと、ブリッスルが密集しすぎて睫毛がブリッスルの間に入らなくなり、捌きが困難となる。又、逆に２．０mmよりも大きいと、ブリッスルの間隔が広すぎて、睫毛を一本毎に梳くことが出来ず、複数本の睫毛がまとめられてマスカラが塗布されてしまうおそれがある。
【００１５】
尚、以上の説明において、ブラシ部は主として睫毛の捌き機能を有するものとして説明したが、これに限られるものではない。ブラシ部をマスカラの塗布部としても使用しても良いことは勿論である。
【発明の効果】
【００１６】
本発明の化粧用ブラシによれば、化粧料や化粧料中の繊維によって睫毛同士がくっついてダマになったり、束になってしまった場合であっても、複数のブリッスルからなるブラシ部によって、睫毛を梳かして捌き解すことができ、優美な仕上がりを得ることができる。
【００１７】
又、所定の長さの溝を一定のピッチで並列してなる塗布部を設けたことで、その溝の長さで睫毛を確実にホールドし、一定のピッチによりきれいに睫毛を分散させて互いにくっつかないように整列させることができる。溝の長さや深さを適宜調整することにより、化粧料の保持量を調整することができ、簡単に適量を均一塗布させられる。さらに、所定の長さをもつ溝により、化粧料中の繊維を塗布方向に（つまり睫毛に沿って）整列させて保持することが可能なので、繊維のムラ付きを防止して付着方向を揃え、均一に塗布することができるようになる。
【発明を実施するための最良の形態】
【００１８】
この発明の好ましい実施の形態を、図を参照しながら以下に詳細に説明する。図１は、本発明の化粧用ブラシを睫毛用塗布具(１)に適用した例を示し、図２は同塗布具(１)の先端部分の拡大図であり、図３は同塗布具(１)のブラシ部(２)側から見た平面図であって、図４は、繊維入り化粧料を塗布した状態の睫毛(Ｍ)の様子を示す図であり、図５は同塗布具(１)におけるブラシ部(２)によって図４に示す状態の睫毛(Ｍ)を梳かして捌いた状態を示す図である。又、図６〜８は、他の実施例を示す図である。
【００１９】
この例における本発明を適用した睫毛用塗布具(１)は、図１〜３に示すように、円柱状のロッド(３)の先端上部を平坦に切削して平面部を形成し、この平面部に、断面形状がＶ字状の溝(４)を並列に多数形成した鋸歯状の塗布部(５)と、前記ロッド(３)の先端下部に該ロッド(３)の長手方向に沿って直列に且つ塗布方向にほぼ３列に配設された複数の先鋭形状に形成されたブリッスル(６)を該ロッド(３)上の配設面に対し垂直に配設してなるブラシ部(２)とを設けて構成され、該ロッド(３)は、繊維入りの睫毛用化粧料を収容した容器の開口部に開閉自在に装着されるキャップ(７)に連結され、該キャップ(７)を把手として使用し得るように構成されている。
【００２０】
この睫毛用塗布具(１)を使用するときは、繊維入りの睫毛用化粧料を収容した容器にロッド(３)先端を入れて、塗布部(５)に該化粧料を付着させ、この塗布部(５)の溝(４)を被塗布部である睫毛(Ｍ)に当接させながら該睫毛(Ｍ)に沿って塗り付ける。こうして、ほぼ均一且つ万遍なく睫毛(Ｍ)に化粧料及び繊維を付着させる。このとき、図４に示すように、睫毛(Ｍ)同士が化粧料によって互いにくっつき合ってダマになったり、繊維の向きが睫毛(Ｍ)の方向に揃っていないものがあった場合には、睫毛(Ｍ)の付け根同士の各間隙に、ブリッスル(６)を入れて前方に引くことによって、ダマを捌き解し、繊維付きの睫毛(Ｍ)を美麗に仕上げることができる。勿論、ブラシ部(２)をなすブリッスル(６)を先鋭に形成したことによって、睫毛(Ｍ)の付け根同士の間隙にブリッスル(６)を通し易くすることができることは言うまでもない。以上のようにして、美麗に仕上げられた睫毛(Ｍ)の様子を示したのが図５である。
【００２１】
図６〜８は、この発明の塗布具の他の実施例を示す図である。図１〜５の実施例では、ブラシ部のブリッスル(６)の配列をロッド(３)に一箇所のみ形成したが、図６，７に示すようにロッド(３)の周囲に間隔をおいて複数箇所(図示の実施例では４箇所）設けたものである。又、図８は、ロッド(３)の上半部にスポンジ等の塗布手段(８)を設け、下半部にブリッスル(６)を間隔をおいて３列設けたものである。
【図面の簡単な説明】
【００２２】
【図１】本発明の睫毛用塗布具の構成を示す図
【図２】同塗布具先端部分の拡大図
【図３】同塗布具のブラシ部側から見た平面図
【図４】繊維入り化粧料を塗布した状態の睫毛の様子を示す図
【図５】同塗布具におけるブラシ部によって図４に示す状態の睫毛を梳かして捌いた状態を示す図
【図６】他の実施例を示す斜視図
【図７】同断面図
【図８】他の実施例の一変形を示す断面図
【符号の説明】
【００２３】
１  睫毛用塗布具
２  ブラシ部
３  ロッド
４  溝
５  塗布部
６  ブリッスル
７  キャップ
８  塗布手段
Ｍ  睫毛
【図１】
2006095091.tif 000003
【図２】
2006095091.tif 000004
【図３】
2006095091.tif 000005
【図４】
2006095091.tif 000006
【図５】
2006095091.tif 000007
【図６】
2006095091.tif 000008
【図７】
2006095091.tif 000009
【図８】
2006095091.tif 000010